(57)【要約】【課題】基地局によって送信されるF-DPCHのタイムスロットフォーマットと、UEによって受信されるF-DPCHのタイムスロットフォーマットとが、完全に同じであることを保証する。これにより、UEが、F-DPCH上で搬送されたTPCビットを正確に受信し、TPCビットを使用してインナーループ電力制御を行う。これにより、Node Bが、E-DPDCH上で送信されたデータ情報を正確に受信する。【解決手段】本発明は、基地局が、CELL_FACH状態又はIdleモードにあるUEが、E-DCHを使用していることを検出する場合、F-DPCHの０番目のタイムスロットフォーマットを、F-DPCH上を介して情報を送信するためのフォーマットとして使用するフラクショナル個別物理チャネルのタイムスロットフォーマット確定方法を開示する。本発明は、フラクショナル個別物理チャネルのタイムスロットフォーマット確定装置を同時に開示する。【選択図】図３
2013510521.tif 000002
【特許請求の範囲】
【請求項１】
基地局が、セルフォワードアクセスチャネル（CELL_FACH：CELL Forward Access Channel）状態又はアイドル（Idle）モードにあるユーザ装置（UE：User Equipment）が、拡張個別チャネル（E-DCH：Enhanced Dedicated Channel）を使用していることを検出する場合、
前記基地局が、フラクショナル個別物理チャネル（F-DPCH：Fractional Dedicated Physical Control Channel）の０番目のタイムスロットフォーマットを、F-DPCHを介して情報を送信するためのフォーマットとして使用する
フラクショナル個別物理チャネルのタイムスロットフォーマット確定方法。
【請求項２】
前記基地局が、CELL_FACH状態又はアイドル（Idle）モードにあるUEが、拡張個別チャネル（E-DCH）を使用していることを検出する前に、
前記基地局が、無線ネットワークコントローラ（RNC：Radio Network Controller）によりシグナルを介して送信された共通E-DCHの構成情報を受信し、
前記共通E-DCHの構成情報には、F-DPCHのタイムスロットフォーマットの構成情報が含まれる
請求項１に記載の方法。
【請求項３】
前記基地局が、CELL_FACH状態又はアイドル（Idle）モードにあるUEが、拡張個別チャネル（E-DCH）を使用していることを検出する前に、
前記基地局が、無線ネットワークコントローラ（RNC）によりシグナルを介して送信された共通E-DCHの構成情報を受信し、
前記共通E-DCHの構成情報には、F-DPCHのタイムスロットフォーマットの構成情報が含まれない
請求項１に記載の方法。
【請求項４】
前記シグナルは、物理共有チャネル（PSCH：Physical Shared Channel）再構成要求メッセージである
請求項２又は３に記載の方法。
【請求項５】
前記共通E-DCHの構成情報は、共通E-DCHシステム情報に含まれ、
前記共通E-DCHシステム情報は、前記物理共有チャネル再構成要求メッセージに含まれる
請求項４に記載の方法。
【請求項６】
CELL_FACH状態又はIdleモードにあるUEが、E-DCHを使用しているかどうかを検出し、前記UEがE-DCHを使用していることを検出する場合、確定ユニットをトリガする検出ユニットと、
F-DPCHの０番目のタイムスロットフォーマットを、F-DPCHを介して情報を送信するためのフォーマットとして使用する確定ユニットと
を含むフラクショナル個別物理チャネルのタイムスロットフォーマット確定装置。
【請求項７】
RNCによりシグナルを介して送信された共通E-DCHの構成情報を受信する受信ユニットを更に含み、
前記共通E-DCHの構成情報には、F-DPCHのタイムスロットフォーマットの構成情報が含まれる
請求項６に記載の装置。
【請求項８】
RNCによりシグナルを介して送信された共通E-DCHの構成情報を受信する受信ユニットを更に含み、
前記共通E-DCHの構成情報には、F-DPCHのタイムスロットフォーマットの構成情報が含まれない
請求項６に記載の装置。
【請求項９】
前記シグナルは、物理共有チャネル再構成要求メッセージである
請求項７又は８に記載の装置。
【請求項１０】
前記共通E-DCHの構成情報は、共通E-DCHシステム情報に含まれ、
前記共通E-DCHシステム情報は、前記物理共有チャネル再構成要求メッセージに含まれる
請求項９に記載の装置。
【発明の詳細な説明】
【技術分野】
【０００１】
本発明は、フラクショナル個別物理チャネル（F-DPCH：Fractional Dedicated Physical Control Channel）のタイムスロットフォーマットを確定する技術に関する。本発明は、特に、ユーザ装置（UE：User Equipment）がセルフォワードアクセスチャネル（CELL_FACH：CELL Forward Access Channel）状態又はアイドル（Idle）モードにある場合、移動無線通信システムにおける基地局（Node B)が、フラクショナル個別物理チャネルのタイムスロットフォーマットを確定する方法及び装置に関する。
【背景技術】
【０００２】
移動通信システムが発展するにつれて、ユーザに対するサービス品質（QoS：Quality of Service）は、事業者の最大の関心事となっている。サービス品質（QoS）は、サービス性能に影響を与える。加えて、サービス品質（QoS）により、サービスに対するユーザの満足度が決まる。接続確立及びチャネル割り当て行う際の時間遅延や、小データパケットのサービスが頻繁に行われることは、サービス品質（QoS）を向上するにあたっての重要な側面である。このことから、共通チャネルがより効率よく動作するよう考慮する必要がある。例えば、アップリンク及びダウンリンクのシグナル遅延を短縮することで、共通チャネルをより効率よく動作させる。ダウンリンク高速パケットアクセス（HSPA：High Speed Packet Access）を導入したことで、第３世代パートナーシッププロジェクト（3GPP：3rd Generation Partnership Project）規格は、CELL_FACH、CELL_PCH（CELL_Paging Channel）又はURA_PCH（UTRAN Registration Area_ Paging Channel）状態におけるダウンリンクシグナル遅延を短縮させた。しかしながら、アップリンクシグナル遅延の問題は、未だ存在している。
【０００３】
アップリンクシグナル遅延を短縮するためには、以下の各側面を考慮する必要がある。
【０００４】
(1)Idleモード、CELL_FACH、CELL_PCH及びURA_PCH状態のユーザプレーン（user plane）と制御プレーン（control plane）の待ち時間を短縮する。
【０００５】
(2)CELL_FACH状態のピーク値速度を向上させる。
【０００６】
(3)Idleモード、CELL_FACH、CELL_PCH、URA_PCH及びCELL_DCH（CELL_Dedicated Channel）状態の間の遷移遅延を短縮する。
【０００７】
上記目的を達するため、3GPP規格によれば、CELL_FACH状態及びIdleモードに、拡張個別チャネル（E-DCH：Enhanced Dedicated Channel）が導入される。即ち、Idleモード又はCELL_FACH状態において、高速アップリンクパケットアクセス（HSUPA：High Speed Uplink Packet Access）を使用することができる。Idleモード及びCELL_FACH状態に高速アップリンクパケットアクセスを導入した技術は、「アップリンク拡張CELL_FACH技術」と称される。
【０００８】
アップリンク拡張CELL_FACH技術の原理は、以下の通りである。ランダムアクセスの送信原理としては、依然として、物理ランダムアクセスチャネル（PRACH：Physical Random Access Channel）のランダムアクセスプロセスが採用されるが、チャネルタイプが変更される。即ち、Idleモード及びCELL_FACH状態で、E-DCHが使用される。共通制御チャネル（CCCH：Common Control Channel）、個別制御チャネル（DCCH：Dedicated Control Channel）又は個別トラフィックチャネル（DTCH：Dedicated Traffic Channel）等の論理チャネルは、E-DCH上にマッピングされ、送信される。E-DCHは、E-DCH個別物理データチャネル（E-DPDCH：E-DCH Dedicated Physical Data Channel）上にマッピングされる。E-DPDCHチャネルは、E-DCH個別物理チャネル（E-DPCCH：E-DCH Dedicated Physical Control Channel）を介して動作する。E-DPCCHは、個別物理チャネル（DPCCH：Dedicated Physical Control Channel）に基づいて動作する。このため、拡張CELL_FACH状態において、アップリンクにDPCCHが存在する必要がある。また、アップリンクDPCCHと協働してリンク同期化を行うため、ダウンリンクにも、フラクショナル個別物理チャネル（F-DPCH：Fractional Dedicated Physical Control Channel）が存在する必要がある。
【０００９】
現状の3GPPプロトコルのUuインタフェースによれば、０番目（No.0）のタイムスロットフォーマットに関して、以下のように定義される。即ち、０番目（No.0）のタイムスロットフォーマットは、Idleモード及びCELL_FACH状態において、UEによって使用されるF-DPCHによって使用される。よって、無線ネットワークコントローラ（RNC：Radio Network Controller）は、シグナルを介して、Node Bにスロットフォーマットを通知する必要がない。しかし、Iubインタフェースにおいては、Idleモード及びCELL_FACH状態下で使用されるF-DPCHタイムスロットフォーマットを構成する構成セル（configuration cell）が存在する。また、Iubインタフェースにおいては、F-DPCHを構成することができるタイムスロットフォーマットは、１０種類存在する。さらに、Iubインタフェースプロトコルにおいて、Node Bは０番目（No.0）のタイムスロットフォーマットしか使用することができないと、規定されているわけではない。
【００１０】
図１は、3GPPプロトコルで規定されるF-DPCHフレームフォーマットを示す図である。図１に示すように、規定された複数のF-DPCHのフレームフォーマットのうち、Noff1ビット及びNoff2ビットは、非送信ビットである。表１は、3GPPプロトコルで規定された、F-DPCHが使用可能なタイムスロットフォーマットを示す。
【００１１】
【表１】
2013510521.tif 000003
【００１２】
表１に示すタイムスロットフォーマット及びフレームフォーマットから分かるように、０番目（No.0）のタイムスロットフォーマットと、他のタイムスロットフォーマットとは、以下のように異なる。すなわち、送信電力制御（TPC：Transmit Power Control）ビットの、タイムスロット内における位置が異なる。これに伴って、以下の問題が生じる。すなわち、RNCは、F-DPCHが使用可能なタイムスロットフォーマットとして、０番目以外（non-No.0）のタイムスロットフォーマットを構成するとする。この場合、Node Bは、RNCによって構成された、０番目以外（non-No.0）のタイムスロットフォーマットを用いて、F-DPCHを送信する。一方、UEは、０番目（No.0）のタイムスロットフォーマットを固定的に用いてF-DPCHを受信する。その結果、UEは、TPCビット情報を正確に受信することができない。このため、UEは、正常にインナーループ電力制御を行うことができない。これにより、リンク障害が生じる。
【発明の概要】
【発明が解決しようとする課題】
【００１３】
以上に鑑み、本発明の主な目的は、UEが、F-DPCH上で搬送されるTPCビットを正確に受信し、TPCビットを使用してインナーループ電力制御を行うことが可能であり、これにより、基地局（Node B）が、E-DPDCH上で送信されたデータ情報を正確に受信することが可能な、フラクショナル個別物理チャネルのタイムスロットフォーマット確定方法及び装置を提供することにある。
【課題を解決するための手段】
【００１４】
上記目的を達するため、本発明は、以下のように実現される。
【００１５】
本発明の一側面に係るフラクショナル個別物理チャネルのタイムスロットフォーマット確定方法は、
基地局が、セルフォワードアクセスチャネル（CELL_FACH：CELL Forward Access Channel）状態又はアイドル（Idle）モードにあるユーザ装置（UE：User Equipment）が、拡張個別チャネル（E-DCH：Enhanced Dedicated Channel）を使用していることを検出する場合、
前記基地局が、フラクショナル個別物理チャネル（F-DPCH：Fractional Dedicated Physical Control Channel）の０番目のタイムスロットフォーマットを、F-DPCHを介して情報を送信するためのフォーマットとして使用する。
【００１６】
好ましくは、前記基地局が、CELL_FACH状態又はアイドル（Idle）モードにあるUEが、拡張個別チャネル（E-DCH）を使用していることを検出する前に、
前記基地局が、無線ネットワークコントローラ（RNC：Radio Network Controller）によりシグナルを介して送信された共通E-DCHの構成情報を受信し、
前記共通E-DCHの構成情報には、F-DPCHのタイムスロットフォーマットの構成情報が含まれる。
あるいは、前記共通E-DCHの構成情報には、F-DPCHのタイムスロットフォーマットの構成情報が含まれない。
【００１７】
好ましくは、前記シグナルは、物理共有チャネル（PSCH：Physical Shared Channel）再構成要求メッセージである。
【００１８】
好ましくは、前記共通E-DCHの構成情報は、共通E-DCHシステム情報に含まれ、
前記共通E-DCHシステム情報は、前記物理共有チャネル再構成要求メッセージに含まれる。
【００１９】
本発明の一側面に係るフラクショナル個別物理チャネルのタイムスロットフォーマット確定装置は、
CELL_FACH状態又はIdleモードにあるUEが、E-DCHを使用しているかどうかを検出し、前記UEがE-DCHを使用していることを検出する場合、確定ユニットをトリガする検出ユニットと、
F-DPCHの０番目のタイムスロットフォーマットを、F-DPCHを介して情報を送信するためのフォーマットとして使用する確定ユニットと
を含む。
【００２０】
好ましくは、前記装置は、
RNCによりシグナルを介して送信された共通E-DCHの構成情報を受信する受信ユニットを更に含み、
前記共通E-DCHの構成情報には、F-DPCHのタイムスロットフォーマットの構成情報が含まれる。
あるいは、前記共通E-DCHの構成情報には、F-DPCHのタイムスロットフォーマットの構成情報が含まれない。
【００２１】
好ましくは、前記シグナルは、物理共有チャネル再構成要求メッセージである。
【００２２】
好ましくは、前記共通E-DCHの構成情報は、共通E-DCHシステム情報に含まれ、
前記共通E-DCHシステム情報は、前記物理共有チャネル再構成要求メッセージに含まれる。
【発明の効果】
【００２３】
本発明によれば、Node Bは、UEが、現在Idleモード又は／及びCELL_FACH状態にあることを判定する。判定した場合、Node Bは、F-DPCHを介して情報を送信するためのフォーマットとして、RNCによって通知されたF-DPCHのタイムスロットフォーマットは、使用しない。その代わりに、Node Bは、F-DPCHを介して情報を送信するためのフォーマットとして、F-DPCHの０番目のタイムスロットフォーマットを使用する。これは、Node Bが、RNCによって通知される、F-DPCHのタイムスロットフォーマットの構成情報を受信したかどうかに関わらず行われる。これにより、Node Bによって送信されるF-DPCHのタイムスロットフォーマットと、UEによって受信されるF-DPCHのタイムスロットフォーマットとが、同じであることが保証される。よって、UEは、F-DPCH上で搬送されたTPCビットを正確に受信できる。このため、UEは、TPCビットを使用してインナーループ電力制御を行うことができる。これにより、Node Bは、E-DPDCH上で送信されたデータ情報を正確に受信することができる。
【図面の簡単な説明】
【００２４】
【図１】3GPPプロトコルにより規定されたF-DPCHのフレームフォーマットを示す図である。
【図２】本発明の実施形態１に係る、フラクショナル個別物理チャネルのタイムスロットフォーマット確定方法のフローチャートである。
【図３】本発明の実施形態２に係る、フラクショナル個別物理チャネルのタイムスロットフォーマット確定方法のフローチャートである。
【図４】本発明に係るフラクショナル個別物理チャネルのタイムスロットフォーマット確定装置の構造を示す模式図である。
【発明を実施するための形態】
【００２５】
以下、添付図面を参照し、本発明の実施形態を説明する。
【００２６】
＜実施形態１＞
図２は、本発明の実施形態１に係る、フラクショナル個別物理チャネルのタイムスロットフォーマット確定方法のフローチャートである。図２に示すように、UEがCELL_FACH状態又はIdleモードにある場合、Node Bが、F-DPCHのタイムスロットフォーマットを確定する方法は、具体的には、以下のステップを含む。
【００２７】
ステップ２１０：無線ネットワークコントローラ（RNC）は、物理共有チャネル（PSCH：Physical Shared Channel）再構成メッセージを介して、Node Bに、共通E-DCHの構成情報を通知する。ここで、共通E-DCHの構成情報には、F-DPCHのタイムスロットフォーマットの構成情報は、含まれていない。物理共有チャネル（PSCH）再構成メッセージとは、物理共有チャネル（PSCH）再構成要求メッセージである。
【００２８】
ステップ２２０：Node Bは、物理共有チャネル（PSCH）再構成メッセージを介して通知された、共通E-DCHの構成情報を記憶する。
【００２９】
ステップ２３０：Node Bは、無線ネットワークコントローラ（RNC）に、物理共有チャネル（PSCH）再構成応答メッセージを返す。
【００３０】
ステップ２４０：Node Bは、CELL_FACH状態又はIdleモードにあるUEが、E-DCHを使用していると検出する。検出すると、Node Bは、F-DPCHの０番目（No.0）のタイムスロットフォーマットを使用して、F-DPCHを介して情報を送信する。
【００３１】
＜実施形態２＞
図３は、本発明の実施形態に係る、フラクショナル個別物理チャネルのタイムスロットフォーマット確定方法２のフローチャートである。図３に示すように、UEがCELL_FACH状態又はIdleモードにある場合、Node Bが、F-DPCHのタイムスロットフォーマットを確定する方法は、具体的には、以下のステップを含む。
【００３２】
ステップ３１０：無線ネットワークコントローラ（RNC）は、物理共有チャネル（PSCH）再構成メッセージを介して、Node Bに、共通E-DCHの構成情報を通知する。ここで、共通E-DCHの構成情報には、F-DPCHのタイムスロットフォーマットの構成情報が含まれる。物理共有チャネル（PSCH）再構成メッセージとは、物理共有チャネル（PSCH）再構成要求メッセージである。
【００３３】
ステップ３２０：Node Bは、物理共有チャネル（PSCH）再構成メッセージを介して通知された、共通E-DCHの構成情報を記憶する。しかし、共通E-DCHの構成情報に含まれる、F-DPCHのタイムスロットフォーマットの構成情報を無視する。
【００３４】
ステップ３３０：Node Bは、無線ネットワークコントローラ（RNC）に、物理共有チャネル（PSCH）再構成応答メッセージを返す。
【００３５】
ステップ３４０：Node Bは、CELL_FACH状態又はIdleモードにあるUEが、E-DCHを使用していると検出する。検出すると、Node Bは、F-DPCHの０番目（No.0）のタイムスロットフォーマットを使用して、F-DPCHを介して情報を送信する。
【００３６】
図４は、本発明に係る、フラクショナル個別物理チャネルのタイムスロットフォーマット確定装置の構造を示す模式図である。図４に示すように、本発明に係るフラクショナル個別物理チャネルのタイムスロットフォーマット確定装置は、検出ユニット４０と、確定ユニット４１とを含む。
【００３７】
検出ユニット４０は、CELL_FACH状態又はIdleモードにあるUEが、E-DCHを使用しているかどうかを検出する。検出ユニット４０は、UEがE-DCHを使用していることを検出する場合、確定ユニット４１をトリガする。
【００３８】
確定ユニット４１は、F-DPCHの０番目（No. 0）のタイムスロットフォーマットを、F-DPCH上でメッセージを送信するためのフォーマットとして使用する。
【００３９】
図４に示すように、好ましくは、本発明に係るフラクショナル個別物理チャネルのタイムスロットフォーマット確定装置は、受信ユニット４２を更に含む。
【００４０】
受信ユニット４２は、RNCによりシグナルを介して送信された、共通E-DCHの構成情報を受信する。共通E-DCHの構成情報には、F-DPCHのタイムスロットフォーマットの構成情報が含まれる。あるいは、共通E-DCHの構成情報には、F-DPCHのタイムスロットフォーマットの構成情報は、含まれていない。シグナルには、物理共有チャネル（PSCH）再構成要求メッセージが含まれる。共通E-DCHの構成情報は、共通E-DCHのシステム情報に含まれる。共通E-DCHのシステム情報は、物理共有チャネル（PSCH）再構成要求メッセージに含まれる。
【００４１】
当業者には、以下について理解されたい。図４に示すフラクショナル個別物理チャネルのタイムスロットフォーマット確定装置は、フラクショナル個別物理チャネルのタイムスロットフォーマット確定方法を実現するために設計されるものである。図４に示す装置において、各処理ユニットの機能は、実施形態１及び実施形態２の説明を参照して理解される。各処理ユニットの機能は、プロセッサ上のプログラムを実行することで実現することが可能である。あるいは、各処理ユニットの機能は、具体的なロジック回路で実現することも可能である。
【００４２】
上記は、本発明の好ましい実施形態に過ぎず、本発明の保護範囲を限定するものではない。
【図１】
2013510521.tif 000004
【図２】
2013510521.tif 000005
【図３】
2013510521.tif 000006
【図４】
2013510521.tif 000007
【国際調査報告】
2013510521.tif 000008
2013510521.tif 000009
2013510521.tif 000010
2013510521.tif 000011